(57)【特許請求の範囲】
【請求項１】
上面及び下面を有する板状の清掃部材取付部と、
前記清掃部材取付部の上面の略中央部に配置され、該清掃部材取付部の平面視における外形よりも小さい外形を有する支持板と、
前記支持板に取り付けられる把持部と、
前記支持板の側面に配置され、シート状部材を該支持板の側面との間に挟持可能に構成される挟持部材と、を備え、
前記挟持部材は、
前記支持板の側面に沿って配置される一対のシート押さえ部と、
前記一対のシート押さえ部それぞれの一端に配置されるシート押さえ部操作部と、
前記一対のシート押さえ部操作部同士を同軸で連結する連結部と、
前記該連結部に配置され前記一対のシート押さえ部を互いに近接する方向に付勢する付勢部材と、を備える清掃用具。
【請求項２】
前記清掃部材取付部及び前記支持板は、平面視において略楕円形状に構成され、
前記把持部は、前記支持板の長手方向の一端側に延び、
前記連結部は、前記支持板の長手方向の一端側に配置される請求項１に記載の清掃用具。
【請求項３】
前記清掃部材取付部の外縁と前記支持板の外縁との間の距離は、１ｍｍ〜３０ｍｍである請求項１又は２に記載の清掃用具。
【発明の詳細な説明】
【技術分野】
【０００１】
本発明は、清掃用具に関する。
【背景技術】
【０００２】
従来、不織布等からなる清掃シートを用いて清掃対象物の清掃対象面を拭き取る場合において、直接、清掃シートに触れることなく清掃対象面を拭き取ることが可能な清掃用具が提案されている。例えば、特許文献１には、清掃シートが巻きつけられる略直方体の紙押え台と、この紙押え台の側面の外側から清掃シートを挟む紙押え部材と、紙押え台の長手方向の一端部から延びる下側柄と、紙押え部材から延びる上側柄と、上側柄の端部と下側柄の端部とを接続するヒンジ部と、を備える清掃用具が提案されている。
【先行技術文献】
【特許文献】
【０００３】
【特許文献１】特開２００５−８１１１２号公報
【発明の概要】
【発明が解決しようとする課題】
【０００４】
しかしながら、特許文献１で提案された清掃用具では、紙押え台の側面側において、紙押え部材が清掃シートの外側に位置するため、紙押え台の側面側を利用して汚れを取り除こうとした場合、紙押え部材が汚れに直接接触し、不衛生であった。
【０００５】
従って、本発明は、清掃シートを挟む部材が汚れに直接接触することを防止し、衛生状態を向上できる清掃用具を提供することを目的とする。
【課題を解決するための手段】
【０００６】
本発明は、上面及び下面を有する板状の清掃部材取付部と、前記清掃部材取付部の上面の略中央部に配置され、該清掃部材取付部の平面視における外形よりも小さい外形を有する支持板と、前記支持板に取り付けられる把持部と、前記支持板の側面に配置され、シート状部材を該支持板の側面との間に挟持可能に構成される挟持部材と、を備える清掃用具に関する。
【０００７】
また、前記挟持部材は、前記支持板の側面に配置される一対のシート押さえ部と、該一対のシート押さえ部の各一端部を連結する連結部と、該連結部に配置され前記一対のシート押さえ部を互いに近接する方向に付勢する付勢部材と、を備えることが好ましい。
【０００８】
また、前記清掃部材取付部及び前記支持板は、平面視において略楕円形状に構成され、前記把持部は、前記支持板の長手方向の一端側に延び、前記連結部は、前記支持板の長手方向の一端側に配置されることが好ましい。
【０００９】
また、前記清掃部材取付部の外縁と前記支持板の外縁との間の距離は、１ｍｍ〜３０ｍｍであることが好ましい。
【発明の効果】
【００１０】
本発明の清掃用具によれば、清掃シートを挟む部材が汚れに直接接触することを防止でき、衛生状態を向上できる。
【図面の簡単な説明】
【００１１】
【図１】本発明の一実施形態に係る清掃用具を示す斜視図である。
【図２】図１に示す清掃用具の分解斜視図である。
【図３】図１に示す清掃用具の挟持部材の挟持動作を示す平面図である。
【図４】図１に示す清掃用具にシート状部材を取付けた状態を示す斜視図である。
【発明を実施するための形態】
【００１２】
以下、本発明の清掃用具の好ましい一実施形態について、図面を参照しながら説明する。
【００１３】
本実施形態の清掃用具１は、図１及び図２に示すように、清掃部材取付部２と、支持板４と、把持部６と、挟持部材５と、を備えて構成される。この清掃用具１は、清掃部材取付部２の下面２１にシート状部材としての清掃シート３（図４参照）を配置した状態で、洗面台及びトイレ等の清掃対象物の清掃対象面を清掃する場合に用いられる。
【００１４】
清掃部材取付部２は、上面２４及び下面２１を有し、略楕円柱（平面視において略楕円）形状に構成されている。清掃部材取付部２は、ウレタンスポンジ等のクッション性を有する材料により形成される。本実施形態では、清掃部材取付部２は、長軸方向ＬＤの長さが９０ｍｍ、短軸方向ＳＤの長さが７０ｍｍ、高さ方向ＨＤの長さが１０ｍｍに構成される。
【００１５】
清掃シート３は、レーヨンやパルプ等の繊維から抄紙された紙又は不織布により構成されており、水洗トイレに捨てたとき等の多量の水で繊維が分離可能な水解性シートである。この清掃シート３は、水解性又は水膨潤性のＣＭＣ（カルボキシ・メチル・セルロース）等のバインダを含んで構成される。
また、清掃シート３として、不織布に所定の薬液を含浸したものを用いてもよい。不織布に含浸させる薬液成分としては、例えば、水９５％、アルコール４％、防腐剤０．５％、香料０．５％が挙げられる。また、不織布に含浸させる薬液の重量は、好ましくは、不織布の乾燥重量の約１．５倍である。
【００１６】
支持板４は、図１及び図２に示すように、略楕円柱（平面視において略楕円形状の立体）形状に構成されており、清掃部材取付部２の上面２４の略中央部に合成樹脂系接着剤により固定されている。この支持板４としては、例えば、アクリロニトリルーブタジエンースチレン（ＡＢＳ）、ポリエチレン（ＰＥ）、ポリプロピレン（ＰＰ）等の合成樹脂を射出成形した硬質の合成樹脂材料が用いられている。
【００１７】
支持板４は、清掃部材取付部２の平面視における外形よりも小さい外形を有している。この支持板４の外縁４５と清掃部材取付部２の外縁２５との間の距離は、好ましくは１ｍｍ〜３０ｍｍに構成される。
本実施形態では、支持板４は、長軸方向ＬＤの長さが７０ｍｍ、短軸方向ＳＤの長さが５０ｍｍ、高さ方向ＨＤの長さが２０ｍｍに構成されていると共に、支持板４の外縁４５と清掃部材取付部２の外縁２５との間の距離が２０ｍｍに構成されている。
【００１８】
把持部６は、図１及び図２に示すように、支持板４の上面４４の中央部付近から支持板４の長手方向としての長軸方向ＬＤの一端４１側に延びる平柄形状に構成されている。把持部６としては、例えば、アクリロニトリルーブタジエンースチレン（ＡＢＳ）、ポリエチレン（ＰＥ）、ポリプロピレン（ＰＰ）等の合成樹脂を射出成形した硬質の合成樹脂材料が用いられる。
本実施形態では、把持部６は、長さが１４０ｍｍ、幅が１５ｍｍ、支持板４の上面４４に対する角度が約３０度〜６０度に構成されている。
【００１９】
挟持部材５は、図１及び図２に示すように、支持板４の側面４２，４３に配置されており、支持板４の側面４２，４３との間に清掃シート３を挟持可能に構成されている。この挟持部材５は、一対のシート押さえ部５１，５２と、連結部５５と、付勢部材５９と、を備える。
【００２０】
一対のシート押さえ部５１，５２は、支持板４の側面４２，４３に配置されており、第１シート押さえ部５１及び第２シート押さえ部５２により構成されている。第１シート押さえ部５１及び第２シート押さえ部５２は、支持板４の側面４２，４３に沿って湾曲した細長い略平板形状に構成されている。
また、第１シート押さえ部５１及び第２シート押さえ部５２それぞれの支持板４の長軸方向ＬＤの一端４１側に位置する一端部には、挟持部材５を操作する場合に用いられる第１操作部５３及び第２操作部５４が形成されている。第１シート押さえ部５１及び第２シート押さえ部５２としては、例えば、アクリロニトリルーブタジエンースチレン（ＡＢＳ）、ポリエチレン（ＰＥ）、ポリプロピレン（ＰＰ）等の合成樹脂を射出成形した硬質の合成樹脂材料が用いられている。
【００２１】
連結部５５は、第１シート押さえ部５１の第１操作部５３と第２シート押さえ部５２の第２操作部５４とを連結しており、支持板４の長軸方向ＬＤの一端４１側に配置されている。この連結部５５は、図２に示すように、第１軸穴部５６と、第２軸穴部５７と、回転軸５８と、を備えている。
【００２２】
第１軸穴部５６は、第１シート押さえ部５１の第１操作部５３において支持板４の短軸方向ＳＤの内側に延びて配置されており、回転軸５８が挿入される軸穴を有している。第２軸穴部５７は、第２シート押さえ部５２の第２操作部５４において支持板４の短軸方向ＳＤの内側に延びて配置されており、回転軸５８が挿入される軸穴を有している。また、回転軸５８は、支持板４の高さ方向ＨＤに延びて配置されており、第１軸穴部５６及び第２軸穴部５７に挿入されている。
【００２３】
付勢部材５９は、連結部５５に配置されており、一対のシート押さえ部５１，５２を互いに近接する方向に付勢する。付勢部材５９としては、洗濯ばさみ等に利用される金属製ねじりコイルばねが用いられている。
【００２４】
次に、図３及び図４を用いて、清掃用具１に清掃シート３を取り付ける方法について説明する。
まず、清掃用具１に清掃シート３を取り付ける場合、親指及び人差し指を使って第１操作部５３及び第２操作部５４をつまんで第１操作部５３及び第２操作部５４を近接させる。すると、図３に示すように、付勢部材５９の付勢力に抗して、第１シート押さえ部５１及び第２シート押さえ部５２（一対のシート押さえ部５１，５２）が支持板４の側面４２，４３から離間する。
【００２５】
次いで、図３及び図４に示すように、清掃部材取付部２の下面２１に清掃シート３を配置し、離間した一対のシート押さえ部５１，５２と支持板４の側面４２，４３との間に形成された空隙に清掃シート３を通して、清掃シート３の端部側を支持板４の上面４４側に配置する。
【００２６】
次いで、図４に示すように、第１操作部５３及び第２操作部５４をつまむ力を取り除き、第１シート押さえ部５１及び第２シート押さえ部５２（一対のシート押さえ部５１，５２）を、清掃シート３を介して、支持板４の側面４２，４３に接触させる。これにより、清掃シート３は、少なくとも清掃部材取付部２の下面２１及び側面２２，２３を覆う位置に固定される。
【００２７】
以上説明した本実施形態の清掃用具１によれば、以下のような作用効果を奏する。
【００２８】
（１）清掃部材取付部２の上面２４に清掃部材取付部２よりも小さい外形を有する支持板４を配置した。また、挟持部材５を、支持板４の側面４２，４３に配置し、清掃シート３等のシート状部材を支持板４の側面４２，４３との間に挟持可能に構成した。これにより、シート状部材としての清掃シート３が巻き付けられた清掃部材取付部２の側面２２，２３側を利用しても、清掃シート３を挟む部材である第１シート押さえ部５１及び第２シート押さえ部５２が汚れに直接接触することがないため、清掃用具１の衛生状態を向上させられる。
【００２９】
（２）挟持部材５を、支持板４の側面４２，４３に配置される一対のシート押さえ部５１，５２と、一対のシート押さえ部５１，５２を互いに近接又は離間させる連結部５５及び付勢部材５９により構成した。これにより、清掃シート３を支持板４の側面４２，４３に容易に固定できる。
【００３０】
（３）清掃部材取付部２及び支持板４を平面視において略楕円形状に構成し、把持部６及び連結部５５を支持板４の長軸方向ＬＤの一端４１側に配置した。これにより、清掃シート３を巻きつけた清掃部材取付部２を狭い汚れ箇所まで移動させることが容易になると共に、清掃シート３が押さえつけられる一対のシート押さえ部５１，５２の接触面積を大きくできる。
【００３１】
（４）第１シート押さえ部５１及び第２シート押さえ部５２を、それぞれ、第１操作部５３及び第２操作部５４を含んで構成した。これにより、第１操作部５３及び第２操作部５４をつまむことにより、第１シート押さえ部５１及び第２シート押さえ部５２の開閉操作を容易に行える。特に、第１操作部５３及び第２操作部５４を、把持部６が延びる方向である支持板４の一端４１側に配置した場合には、把持部６を把持する側の手により、第１シート押さえ部５１及び第２シート押さえ部５２の開閉操作を行えるので、清掃用具１の操作性を更に向上できる。
【００３２】
（５）清掃部材取付部２の外縁２５と支持板４の外縁４５との間の距離を、１ｍｍ〜３０ｍｍに構成した。これにより、汚れ面を清掃する際に生じる抗力がシート状部材が巻き付けられた清掃部材取付部２の外縁２５側に加えられても、上記の距離分だけ清掃部材取付部２が変形可能になるため、挟持部材５又は支持板４が汚れに直接接触することを防止できる。
【００３３】
以上、本発明の好ましい一実施形態について説明したが、本発明は、上述した実施形態に制限されるものではなく、適宜変更が可能である。
例えば、本実施形態では、支持板４及び把持部６を別部材により構成したが、これに限らない。即ち、支持板及び把持部６を一体成形により構成してもよい。
【符号の説明】
【００３４】
１  清掃用具
２  清掃部材取付部
３  清掃シート（シート状部材）
４  支持板
５  挟持部材
６  把持部
２１  下面
２２、２３  側面
２４  上面
２５  外縁
４１  一端
４２、４３  側面
４４  上面
４５  外縁
５１  第１シート押さえ部（シート押さえ部）
５２  第２シート押さえ部（シート押さえ部）
５３  第１操作端部
５４  第２操作端部
５５  連結部
５６  第１軸穴部
５７  第２軸穴部
５８  回転軸
５９  付勢部材
ＬＤ  長軸方向
ＳＤ  短軸方向
ＨＤ  高さ方向
【図１】
0005917871.tif 000002
【図２】
0005917871.tif 000003
【図３】
0005917871.tif 000004
【図４】
0005917871.tif 000005